(57)【要約】【課題】複数のチャンネル間で、信号出力や信号遅延、さらにノイズレベルに差が発生し、画面中央で段差が発生する。【解決手段】同じ構造を有する２つの水平ＣＣＤ及び２つの出力アンプがそれぞれ中心線に対し左右対称に配置され、水平ＣＣＤまたは出力アンプにクロックパルスあるいは電源電圧を印加する配線のうち、左右で共通のボンデイングパッドあるいは内部バイアス電源回路に接続されている配線が、ボンデイングパッドあるいは内部バイアス電源回路から中心線上にまで配置され、中心線上から左右に分岐して左右対称に配置されている。【選択図】  図１
2004172267.tif 000002
【特許請求の範囲】
【請求項１】
同じ構造を有する２つの水平ＣＣＤ及び２つの出力アンプがそれぞれ中心線に対し左右対称に配置され、前記水平ＣＣＤまたは前記出力アンプにクロックパルスあるいは電源電圧を印加する配線のうち、左右で共通のボンデイングパッドあるいは内部バイアス電源回路に接続されている配線が、前記ボンデイングパッドあるいは前記内部バイアス電源回路から前記中心線上にまで配置され、前記中心線上から左右に分岐して左右対称に配置されていることを特徴とする固体撮像装置。
【請求項２】
同じ構造を有する２つの水平ＣＣＤ及び２つの出力アンプがそれぞれ中心線に対し左右対称に配置され、前記水平ＣＣＤまたは前記出力アンプから左右独立にボンデイングパッドに接続される配線が、前記中心線に対し左右対称に配置されていることを特徴とする固体撮像装置。
【発明の詳細な説明】
【０００１】
【発明の属する技術分野】
本発明は、複数の水平ＣＣＤ及び出力アンプを有する固体撮像装置の配線に関するものである。
【０００２】
【従来の技術】
近年、電子スチルカメラ用ＣＣＤやム−ビカメラ用ＣＣＤにおいて高画素化が急速に進み、水平ＣＣＤの転送周波数が大きくなり、駆動や転送が難しくなってきている。このために水平ＣＣＤを２チャンネル以上に分割し転送周波数を小さくする構造を採るＣＣＤが考えられている。しかし、その場合に複数のチャンネル間で信号やノイズレベルに差が発生し、問題となっている。
【０００３】
以下、図面を参照しながら、従来の２チャンネルＣＣＤの一例について説明する。
【０００４】
図３は従来の２チャンネルＣＣＤを有する固体撮像装置の構成を示す図である。１はＣＣＤのイメ−ジエリアである。２は水平ＣＣＤ（ＨＣＣＤ−１）で、イメ−ジエリア１の左側の垂直ＣＣＤより送られてきた電荷を順次の第１の出力アンプ３へ転送する（これらを以降、第１のチャンネル６とする）。第１の出力アンプ３で水平ＣＣＤ２（ＨＣＣＤ−１）から転送された左側の信号電荷を信号電圧に変換し出力する。４は水平ＣＣＤ（ＨＣＣＤ−２）でイメ−ジエリア右側の電荷を第２の出力部アンプ５へ送り込む。第２の出力部アンプ５は水平ＣＣＤ４（ＨＣＣＤ−２）から送り込まれたイメ−ジエリア１の右側の信号電荷を信号電圧に変換して出力する（これらを以降、第２のチャンネル７とする）。
【０００５】
９は水平ＣＣＤ２、４（ＨＣＣＤ−１、２）や第１、２の出力アンプ３、５に印加される電圧（水平ＣＣＤ２、４やリセットゲ−トの駆動パルス、出力、グランド）等の配線で、それぞれ共通のパッド１０及び内部バイアス電源回路１１へ引き出されている。
【０００６】
また、同様にイメージエリアを４分割するような構成も提案されている（例えば特許文献１参照）。
【０００７】
【特許文献１】
特開平５−２２６６７号公報（第２−３頁、第１図）
【０００８】
【発明が解決しようとする課題】
しかしながら上記のような配線、パッドなどが非対称の構成では、各チャンネルへ電源電圧等を印加するための配線が左右のチャンネル間で長さや位置関係を同じにできない。
【０００９】
このためチャンネル間で、信号出力や信号遅延、さらにノイズレベルに差が発生し、画面中央で段差が発生するという問題を有していた。
【００１０】
【課題を解決するための手段】
上記問題点を解決するために本発明の固体撮像装置は、同じ構造を有する２つの水平ＣＣＤ及び２つの出力アンプがそれぞれ中心線に対し左右対称に配置され、水平ＣＣＤまたは出力アンプにクロックパルスあるいは電源電圧を印加する配線のうち、左右で共通のボンデイングパッドあるいは内部バイアス電源回路に接続されている配線が、ボンデイングパッドあるいは内部バイアス電源回路から中心線上にまで配置され、中心線上から左右に分岐して左右対称に配置されていることを特徴とする。
【００１１】
本発明は上記構成により信号遅延やノイズ、出力のチャンネル間差を発生させない。
【００１２】
【発明の実施の形態】
以下、本発明の一実施の形態の固体撮像装置について、図面を参照しながら説明する。
【００１３】
図１は本発明の実施の形態における固体撮像装置の配置構成図を示すものである。図１において、１はイメ−ジエリア、２は第１のチャンネルの水平ＣＣＤ（ＨＣＣＤ−１）、３は第１のチャンネルの第１の出力アンプ、４は第２のチャンネルの水平ＣＣＤ（ＨＣＣＤ−２）、５は第２のチャンネルの第２の出力アンプ、６は第１のチャンネル、７は第２のチャンネル、８はイメ−ジ部の中心線（対称軸）、９は水平ＣＣＤ（ＨＣＣＤ１、２）と第１、２の出力アンプ３、５に供給される電源／ＧＮＤ／駆動パルス等の配線、１０は配線９のボンデイングパッド（以降パッド）、１１は内部バイアス電源回路である。
【００１４】
以上のように構成された固体撮像装置について、以下（図１）を用いて説明する。
【００１５】
この固体撮像素子は６で示される第１のチャンネルと７で示される第２のチャンネルで構成される２チャンネルＣＣＤである。第１のチャンネル６、第２のチャンネル７は中心線８（対称軸）に対して左右対称に水平ＣＣＤ（ＨＣＣＤ−１、２）と第１、２の出力アンプ３、５が配置されている。
【００１６】
配線９はパッド１０より中心線８上にまで配置され、中心線８上で第１のチャンネル６と第２のチャンネル７に分岐されている。分岐後の配線も中心線８に対して左右対称に引き回した設計となっている。
【００１７】
図２は本発明の第２の実施の形態の固体撮像装置である。本実施の形態では両チャンネルの出力アンプからの出力や、個別に電源等、左右独立のパッドに接続される配線を左右対称に配置した設計とする。
【００１８】
以上の様に配置することにより配線長や配線間容量をチャンネル１、２で同一として、チャンネル１、２の出力差が発生しない構造とすることができる。
【００１９】
【発明の効果】
以上のように本発明は同一構造を持つ２つの水平ＣＣＤと出力アンプを左右対称に配置する。水平ＣＣＤ及び出力アンプへクロックパルスあるいは電源等を印加する配線のうち、左右で共通のパッドあるいは内部バイアス電源回路に接続される配線が、前記のパッドあるいは内部バイアス電源回路から左右の水平ＣＣＤ及び出力アンプの中心線（対称軸）上にまで配線が配置され、そこから左右に分岐して左右対称に配線する。
【００２０】
また、個別に電源等を印加する場合も配線及びパッドを左右対称に配置する。
【００２１】
このことにより両チャンネルの配線長、配線間容量等全て等しくすることができる。
【００２２】
この結果として各チャンネル間の出力差を無くすことができる。
【図面の簡単な説明】
【図１】本発明の第１の実施の形態における固体撮像装置の構成図
【図２】本発明の第２の実施の形態における固体撮像装置の構成図
【図３】従来の固体撮像装置の構成図
【符号の説明】
１  イメ−ジエリア
２  第１のチャンネルの水平ＣＣＤ（ＨＣＣＤ−１）
３  第１の出力アンプ
４  第２のチャンネルの水平ＣＣＤ（ＨＣＣＤ−２）
５  第２の出力アンプ
６  第１のチャンネル
７  第２のチャンネル
８  中心線
９  配線
１０  ボンデイングパッド
１１  内部バイアス電源回路
【図１】
2004172267.tif 000003
【図２】
2004172267.tif 000004
【図３】
2004172267.tif 000005